(57)【要約】【課題】開閉状態を視覚的に簡単に判別することができるファスナー袋を提供すること。【解決手段】口部２が形成された可撓性を有するプラスチック製のバッグ本体３と、口部２に設けられ、バッグ本体３を密閉するための一対のファスナー４Ａ，４Ｂと、一対のファスナー４Ａ，４Ｂよりもバッグ本体３の底縁８側に配置され、口部２が閉まっているときに隠れ、口部２が開いているときに見えるものであって、バッグ本体３の開閉状態を視覚的に判別するための色彩表示１３と、口部２が開く方向にバッグ本体３を付勢する弾性シート１７とを含む、ファスナー袋１を提供する。【選択図】図１
2014019451.tif 000002
【特許請求の範囲】
【請求項１】
口部が形成された可撓性を有するプラスチック製のバッグ本体と、
前記口部に設けられ、前記バッグ本体を密閉するための一対のファスナーと、
前記バッグ本体の内側に配置され、前記口部が閉まっているときに隠れ、前記口部が開いているときに見えるものであって、前記バッグ本体の開閉状態を視覚的に判別するための開閉判別部と、
前記口部が開く方向に前記バッグ本体を付勢する付勢部とを含む、ファスナー袋。
【請求項２】
前記付勢部は、その面が反る方向に力を加えたときに形状を元に戻そうとする復元力が働く弾性シートを含む、請求項１に記載のファスナー袋。
【請求項３】
前記弾性シートは、プラスチックシートを含む、請求項２に記載のファスナー袋。
【請求項４】
前記バッグ本体は、互いに対向し、前記バッグ本体の輪郭線を共有する第１フィルムおよび第２フィルムからなる扁平状に形成されており、
前記弾性シートは、前記輪郭線を横切るように前記バッグ本体に取り付けられており、前記第１フィルムおよび前記第２フィルムが互いに遠ざかる方向に前記バッグ本体を付勢している、請求項２または３に記載のファスナー袋。
【請求項５】
前記弾性シートは、前記バッグ本体の外面に取り付けられている、請求項２〜４のいずれか一項に記載のファスナー袋。
【請求項６】
前記弾性シートは、前記バッグ本体の内面に取り付けられている、請求項２〜４のいずれか一項に記載のファスナー袋。
【請求項７】
前記開閉判別部は、前記バッグ本体とは異なる色彩が表示された色彩表示を含む、請求項１〜６のいずれか一項に記載のファスナー袋。
【請求項８】
前記開閉判別部は、前記口部が開いていることを知らせるための模様が表示された模様表示を含む、請求項１〜７のいずれか一項に記載のファスナー袋。
【請求項９】
前記開閉判別部は、前記口部が開いていることを知らせるための文字が表示された文字表示を含む、請求項１〜８のいずれか一項に記載のファスナー袋。
【請求項１０】
前記バッグ本体は、透明のプラスチックを用いて形成されている、請求項１〜９のいずれか一項に記載のファスナー袋。
【請求項１１】
前記開閉判別部を覆うように前記バッグ本体の外面に取り付けられた被覆部をさらに含む、請求項１０に記載のファスナー袋。
【請求項１２】
前記バッグ本体は、透明のプラスチックを用いて形成されており、
前記色彩表示を覆うように前記バッグ本体の外面に取り付けられ、前記色彩表示とは異なる色彩の被覆部をさらに含む、請求項７に記載のファスナー袋。
【請求項１３】
前記被覆部は、色彩テープを含む、請求項１２に記載のファスナー袋。
【発明の詳細な説明】
【技術分野】
【０００１】
本発明は、可撓性を有するプラスチック製のファスナー袋に関する。
【背景技術】
【０００２】
従来、開閉状態を判別可能なファスナー袋として、袋の口部に色彩が施されたものが公知である。
たとえば、特許文献１は、所定の長さにわたって連続的に組み合わされて閉鎖を行うことができ、互いに異なる色を有する２つの閉鎖形成部を含む、可撓性容器を開示している。使用者は、当該閉鎖形成部を頼りに、容器の閉塞が完全であるか否かを視覚的に確認する。
【先行技術文献】
【特許文献】
【０００３】
【特許文献１】特開昭５５−４８０５４号公報
【発明の概要】
【発明が解決しようとする課題】
【０００４】
しかしながら、従来のファスナー袋は、閉塞が完全でなくても、見かけ上口部が閉じていることが多い。そのため、使用者は、口部に施された色彩を一目で確認することができず、結局のところ、袋の閉塞を手で確認する必要があった。
そこで、本発明の目的は、開閉状態を視覚的に簡単に判別することができるファスナー袋を提供することである。
【課題を解決するための手段】
【０００５】
本発明のファスナー袋は、口部が形成された可撓性を有するプラスチック製のバッグ本体と、前記口部に設けられ、前記バッグ本体を密閉するための一対のファスナーと、前記バッグ本体の内側に配置され、前記口部が閉まっているときに隠れ、前記口部が開いているときに見えるものであって、前記バッグ本体の開閉状態を視覚的に判別するための開閉判別部と、前記口部が開く方向に前記バッグ本体を付勢する付勢部とを含む（請求項１）。
【０００６】
この構成によれば、一対のファスナーが解除されているとき、付勢部によって口部を強制的に開けることができる。これにより、使用者は、開いた口部を通して、開閉判別部を一目で簡単に確認することができる。なお、前記開閉判別部の配置位置は、たとえば、前記バッグ本体において前記一対のファスナーよりも底側であってもよいし、前記一対のファスナーよりも開口端側であってもよい。
【０００７】
前記付勢部は、その面が反る方向に力を加えたときに形状を元に戻そうとする復元力が働く弾性シートを含むことが好ましい（請求項２）。
この構成によれば、バッグ本体に弾性シートを取り付けるだけでよいので、複雑な構造を必要とせず、簡単な構造で口部を強制的に開けることができる。この場合、前記弾性シートは、プラスチックシートを含んでいてもよい（請求項３）。
【０００８】
また、前記バッグ本体が、互いに対向し、前記バッグ本体の輪郭線を共有する第１フィルムおよび第２フィルムからなる扁平状に形成されている場合、前記弾性シートは、前記輪郭線を横切るように前記バッグ本体に取り付けられており、前記第１フィルムおよび前記第２フィルムが互いに遠ざかる方向に前記バッグ本体を付勢していることが好ましい（請求項４）。
【０００９】
扁平状の袋は特に、一対のファスナーが解除されていても、口部が閉じているように見えやすい。この構成によれば、そのような扁平袋の口部であっても、弾性シートによって確実に開けることができる。
前記弾性シートは、前記バッグ本体の外面に取り付けられていてもよい（請求項５）。この構成によれば、バッグ本体を製造した後でも、弾性シートだけを別途、簡単に後付けすることができる。
【００１０】
前記弾性シートは、前記バッグ本体の内面に取り付けられていてもよい（請求項６）。この構成によれば、弾性シートの復元力によってバッグ本体を内側から押し広げるので、口部をより大きく開けやすくすることができる。
前記開閉判別部は、前記バッグ本体とは異なる色彩が表示された色彩表示を含んでいてもよいし（請求項７）、前記口部が開いていることを知らせるための模様が表示された模様表示を含んでいてもよいし（請求項８）、前記口部が開いていることを知らせるための文字が表示された文字表示を含んでいてもよい（請求項９）。すなわち、開閉判別部として多種多様の表示形式を採用することができる。
【００１１】
また、前記バッグ本体は、透明のプラスチックを用いて形成されていることが好ましい（請求項１０）。この構成によれば、開閉判別部がバッグ本体の外側に形成されていても、透明の袋を通して内側からも開閉判別部を視認できる状態にすることができる。この場合、前記開閉判別部を覆うように前記バッグ本体の外面に取り付けられた被覆部をさらに含むことが好ましい（請求項１１）。
【００１２】
この構成によれば、バッグ本体の外側から開閉判別部を見えないようにすることで、バッグ本体の開閉状態の誤判別を防止することができる。
また、前記バッグ本体は、透明のプラスチックを用いて形成されており、前記色彩表示を覆うように前記バッグ本体の外面に取り付けられ、前記色彩表示とは異なる色彩の被覆部をさらに含んでいてもよい（請求項１２）。
【００１３】
この構成によれば、色彩表示と、当該色彩表示とは異なる色彩の被覆部とのコントラストによってバッグ本体の開閉状態を判別できるので、誤判別が少なく、しかも簡単に判別することができる。この場合、前記被覆部は、色彩テープを含むことが好ましい（請求項１３）。
この構成によれば、バッグ本体を製造した後でも、色彩テープだけを別途、簡単に後付けすることができる。
【図面の簡単な説明】
【００１４】
【図１】図１は、本発明の第１実施形態に係るファスナー袋の概略構成図である。
【図２】図２は、図１の切断面線II−IIから見た断面図である。
【図３】図３は、図１の切断面線III−IIIから見た断面図である。
【図４Ａ】図４Ａは、前記ファスナー袋が閉じた状態を示す斜視図である。
【図４Ｂ】図４Ｂは、前記ファスナー袋が閉じた状態を示す平面図である。
【図５Ａ】図５Ａは、前記ファスナー袋が開いた状態を示す斜視図である。
【図５Ｂ】図５Ｂは、前記ファスナー袋が開いた状態を示す平面図である。
【図６】図６は、前記ファスナー袋を吊り下げた状態を示す図である。
【図７】図７は、本発明の第２実施形態に係るファスナー袋の概略構成図である。
【図８】図８は、本発明の第３実施形態に係るファスナー袋の概略構成図である。
【図９】図９は、本発明の第４実施形態に係るファスナー袋の概略構成図である。
【図１０】図１０は、本発明の第５実施形態に係るファスナー袋の概略構成図である。
【図１１】図１１は、本発明の第６実施形態に係るファスナー袋の概略構成図である。
【図１２】図１２は、本発明の第７実施形態に係るファスナー袋の概略構成図である。
【図１３】図１３は、本発明の第８実施形態に係るファスナー袋の概略構成図である。
【発明を実施するための形態】
【００１５】
以下では、本発明の実施の形態を、添付図面を参照して詳細に説明する。
図１は、本発明の第１実施形態に係るファスナー袋１の概略構成図である。図２は、図１の切断面線II−IIから見た断面図である。図３は、図１の切断面線III−IIIから見た断面図である。
ファスナー袋１は、口部２が形成された可撓性を有するプラスチック製のバッグ本体３と、バッグ本体３の口部２に設けられた一対のファスナー４Ａ，４Ｂとを含む。
【００１６】
バッグ本体３は、たとえば、ポリエチレン、ポリプロピレン等のポリオレフィン、たとえば、ナイロン、たとえば、ポリエチレンビニルアルコール多層フィルム、アルミナ蒸着フィルム、シリカ蒸着フィルム等のガスバリアフィルム等からなる。この実施形態では、当該プラスチック製の透明フィルムからなり、互いに対向する第１フィルム５および第２フィルム６からなる扁平状である。
【００１７】
バッグ本体３は、この実施形態では、上下方向に対向する上縁７および底縁８と、左右方向に対向する一対の側縁９Ａ，９Ｂとによって区画された四角形バッグである。上縁７、底縁８および一対の側縁９Ａ，９Ｂは、一体となってバッグ本体３の輪郭線を形成している。そして、バッグ本体３では、底縁８および一対の側縁９Ａ，９Ｂが閉じられ、残りの上縁７が開放している。口部２は、開放した上縁７の周辺の領域である。また、閉じられた底縁８および一対の側縁９Ａ，９Ｂは、第１フィルム５および第２フィルム６との間で共有されている。このバッグ本体３は、たとえば、細長い１枚の透明フィルムをその長辺を半分にするように折り畳んで底縁８（折り目）を形成し、これによって重なった長辺同士をヒートシールすることによって一対の側縁９Ａ，９Ｂを形成して得ることができる。
【００１８】
一対のファスナー４Ａ，４Ｂは、口部２の上縁７から底縁８側に間隔を開けた位置において、一対の側縁９Ａ，９Ｂ間に跨って形成されている。一対のファスナー４Ａ，４Ｂは、この実施形態では、互いに嵌合および解除が自在な凸条１０および凹条１１を有するファスナーである（図３参照）。使用者は、たとえば、一対のファスナー４Ａ，４Ｂに対して上縁７側の耳部１２を持ち、第１フィルム５および第２フィルム６を広げることによって凸条１０と凹条１１との嵌合を解除することができる。この嵌合の解除によって、バッグ本体３の密閉が解除される。一方、凸条１０と凹条１１とを嵌合してバッグ本体３を密閉状態にするには、凸条１０と凹条１１とを重ね合わせた状態で、凹条１１に対して凸条１０を押し込めばよい。なお、一対のファスナー４Ａ，４Ｂは、この実施形態では、直線状であるが、たとえば、曲線等の形状であってもよい。
【００１９】
バッグ本体３の一対のファスナー４Ａ，４Ｂよりも底縁８側には、本発明の開閉判別部の一例としての色彩表示１３が施されている。色彩表示１３は、たとえば、バッグ本体３の外面１４に色彩を施すことによって形成されている。この実施形態では、一対のファスナー４Ａ，４Ｂから底縁８側の一定幅の帯状領域を全周に渡って印刷することによって色彩表示１３を形成している。色彩表示１３の色は、バッグ本体３とは異なる色彩であることが好ましい。透明のバッグ本体３に対しては、たとえば、赤色、青色、緑色、黄色等の多種多様の色を採用することができる。
【００２０】
そして、この色彩表示１３を外側から覆うように、バッグ本体３の外面１４には、本発明の被覆部の一例としての色彩テープ１６が取り付けられている。色彩テープ１６は、色彩表示１３とほぼ同じ幅の帯状であり、バッグ本体３の全周に渡って設けられている。これにより、バッグ本体３の外面１４側からは色彩表示１３が見えないようになっている。また、色彩テープ１６の表面色は、色彩表示１３との誤認を防止する観点から、色彩表示１３とは異なる色であることが好ましい。色彩テープ１６がバッグ本体３の外面１４側に取り付けられた構成であるため、バッグ本体３を製造した後でも、色彩テープ１６だけを別途、簡単に後付けすることができる。また、バッグ本体３の外面１４側から色彩表示１３を見えないようにすることで、バッグ本体３の開閉状態の誤判別を防止することができる。
【００２１】
なお、この実施形態のように、透明のバッグ本体３を用いる場合には、表裏面の色が互いに異なる色彩テープを用いることによって、当該色彩テープのバッグ本体３との接着面（たとえば裏面）を色彩表示１３に代えることができる。これにより、色彩表示１３を形成する作業を省略できるので、製造が容易になる。
また、色彩表示１３は、バッグ本体３の全周に渡って帯状に形成する必要はなく、バッグ本体３の周方向に沿って選択的に形成してもよい。また、色彩テープ１６は、色彩表示１３の形状に合わせて適宜形状を変更してもよい。
【００２２】
また、色彩表示１３は、バッグ本体３の内面１５に形成してもよい。特に、バッグ本体３がカラーフィルムで構成されている場合は、色彩表示１３を外面１４に施すと、口部２が開いたときにバッグ本体３を内面１５側から視認することが困難になるので、色彩表示１３は内面１５に施されている方がよい。この場合、色付きのバッグ本体３によって色彩表示１３を外面１４側から隠すことができるので、色彩テープ１６を省略してもよい。
【００２３】
さらに、色彩テープ１６に代えて、色彩表示１３の上に、色彩表示１３とは異なる色彩を施すこと（重ね印刷）によって色彩表示１３を覆ってもよい。
また、バッグ本体３には、本発明の付勢部の一例としての弾性シート１７が取り付けられている。弾性シート１７は、この実施形態では、その面が反る方向に力を加えたときに形状を元に戻そうとする復元力が働くプラスチックシートである。
【００２４】
弾性シート１７は、この実施形態では、その長手方向に一端１８および他端１９を有する短冊状に形成されている。短冊状の弾性シート１７は、各側縁９Ａ，９Ｂに沿ってその長辺を折り曲げて形成された支点２０を有し、その支点２０に対して一端１８および他端１９が互いに異なる外面１４上に配置されるように、各側縁９Ａ，９Ｂを横切ってバッグ本体３に取り付けられている。たとえば、支点２０から２方向に均等に延びる一対のアーム２１Ａ，２１Ｂを有する断面Ｖ字状の弾性シート１７のアーム２１Ａ，２１Ｂ間にバッグ本体３が挟み入れられた状態となっている。これにより、バッグ本体３は、板状のプラスチックシートの撓みに対する復元力を利用した板ばねの原理によって、第１フィルム５および第２フィルム６が互いに遠ざかる方向に付勢されている。
【００２５】
弾性シート１７としては、たとえば、厚さが０．１ｍｍ〜２ｍｍ、長さ１ｃｍ〜１０ｃｍの短冊状のプラスチックシートを用いることが好ましい。さらにこの実施形態では、弾性シート１７は、上縁７からの深さ位置に関して、色彩表示１３と重なるようにバッグ本体３の外面１４側に取り付けられている。具体的には、色彩テープ１６の表面に貼り付けられている。
【００２６】
また、図１に示すように、バッグ本体３の外面１４に吊り下げ具２２が設けられていてもよい。吊り下げ具２２は、色彩表示１３から底縁８側に間隔を開けた位置に配置されていることが好ましい。使用者は、吊り下げ具２２をフック等に引っ掛けることができる。
図４Ａは、ファスナー袋１が閉じた状態を示す斜視図である。図４Ｂは、ファスナー袋１が閉じた状態を示す平面図である。図５Ａは、ファスナー袋１が開いた状態を示す斜視図である。図５Ｂは、ファスナー袋１が開いた状態を示す平面図である。図６は、ファスナー袋１を吊り下げた状態を示す図である。
【００２７】
このファスナー袋１によれば、一対のファスナー４Ａ，４Ｂの凸条１０と凹条１１とが完全に嵌合されている場合には、図４Ａおよび図４Ｂに示すように、バッグ本体３が弾性シート１７で付勢されていても口部２が閉じている。そのため、色彩表示１３が隠れており、使用者は、口部２を通して、バッグ本体３の内面１５側に透けた色彩表示１３を視認することは困難である。むろん、バッグ本体３の外面１４側からは、色彩表示１３は色彩テープ１６の下に隠れているために視認することはできない。
【００２８】
これに対し、一対のファスナー４Ａ，４Ｂの凸条１０と凹条１１とが解除され、第１フィルム５と第２フィルム６とが互いにフリーになっている場合には、図５Ａおよび図５Ｂに示すように、弾性シート１７の復元力によって口部２を強制的に開けることができる。これにより、使用者は、開いた口部２を通して、バッグ本体３の内面１５側に透けた色彩表示１３を一目で簡単に視認することができる。その結果、色彩表示１３と色彩テープ１６とのコントラストによって、バッグ本体３の開閉状態を判別することができる。コントラストによる判別なので、誤判別が少なく、しかも簡単に判別することができる。
【００２９】
また、このファスナー袋１によれば、バッグ本体３に弾性シート１７を取り付けるだけでよいので、複雑な構造を必要とせず、簡単な構造で口部２を強制的に開けることができる。さらに、弾性シート１７がバッグ本体３の外面１４側に取り付けられた構成であるため、バッグ本体３を製造した後でも、弾性シート１７だけを別途、簡単に後付けすることができる。
【００３０】
また、ファスナー袋１のように、扁平状の袋は特に、一対のファスナー４Ａ，４Ｂの凸条１０と凹条１１とが解除されていても、口部２が閉じているように見えやすい。この実施形態の弾性シート１７の取り付けによって、そのような扁平袋の口部２であっても、確実に開けることができる。
さらに、図６に示すように、吊り下げ具２２をフック２３に引っ掛けて用いれば、口部２が開いたときに、より視認しやすくなるのでよい。
【００３１】
図７は、本発明の第２実施形態に係るファスナー袋３１の概略構成図である。図７において、図１に示す各部に相当する部分には、それらの各部に付した参照符号と同一の参照符号を付し、それらの部分については説明を省略する。
前述の第１実施形態のファスナー袋１の弾性シート１７は、上縁７からの深さ位置に関して、色彩表示１３と重なるようにバッグ本体３の外面１４側に取り付けられていた。この第２実施形態のファスナー袋３１の弾性シート３２は、色彩表示１３から底縁８側に間隔を開けた位置に配置されている。この第２実施形態のファスナー袋３１によっても、第１実施形態のファスナー袋１と同様の効果を達することができる。
【００３２】
図８は、本発明の第３実施形態に係るファスナー袋４１の概略構成図である。図８において、図５Ｂに示す各部に相当する部分には、それらの各部に付した参照符号と同一の参照符号を付し、それらの部分については説明を省略する。
前述の第１実施形態のファスナー袋１の弾性シート１７は、バッグ本体３の外面１４側に取り付けられていた。この第３実施形態のファスナー袋４１の弾性シート４２は、バッグ本体３の内面１５側に取り付けられている。
【００３３】
弾性シート４２は、この実施形態では、その長手方向に一端４３および他端４４を有する短冊状に形成されている。短冊状の弾性シート４２は、各側縁９Ａ，９Ｂに沿ってその長辺を折り曲げて形成された支点４５を有し、その支点４５に対して一端４３および他端４４が互いに異なる内面１５上に配置されるように、各側縁９Ａ，９Ｂを横切ってバッグ本体３に取り付けられている。たとえば、支点４５から２方向に均等に延びる一対のアーム４６Ａ，４６Ｂを有する断面Ｖ字状の弾性シート４２が、バッグ本体３の第１フィルム５と第２フィルム６との間に挟み入れられた状態となっている。これにより、バッグ本体３は、板状のプラスチックシートの撓みに対する復元力を利用した板ばねの原理によって、第１フィルム５および第２フィルム６を押し広げる方向に付勢されている。この構成によれば、弾性シート４２の復元力によって、バッグ本体３を内面１５側から押し広げて、口部２を強制的に開けることができる。そのため、弾性シート１７が外面１４側に取り付けられている場合に比べて、口部２をより大きく開けやすくすることができる。むろん、第１実施形態のファスナー袋１と同様の効果を達成することもできる。
【００３４】
図９は、本発明の第４実施形態に係るファスナー袋５１の概略構成図である。図１０は、本発明の第５実施形態に係るファスナー袋６１の概略構成図である。図９および図１０において、図５Ａに示す各部に相当する部分には、それらの各部に付した参照符号と同一の参照符号を付し、それらの部分については説明を省略する。
前述の第１実施形態のファスナー袋１では、バッグ本体３の開閉状態を判別する指標として、色彩表示１３を採用していたが、本発明のファスナー袋では、多種多様の表示形式を採用することができる。たとえば、図９のファスナー袋５１は、本発明の開閉判別部の一例としての模様表示５２を有しており、図１０のファスナー袋６１は、本発明の開閉判別部の一例としての文字表示６２を有している。使用者は、強制的に開いた口部２を通して模様表示５２や文字表示６２を視認することによって、バッグ本体３の開閉状態を判別することができる。
【００３５】
図１１は、本発明の第６実施形態に係るファスナー袋７１の概略構成図である。図１１において、図５Ａに示す各部に相当する部分には、それらの各部に付した参照符号と同一の参照符号を付し、それらの部分については説明を省略する。
前述の第１実施形態のファスナー袋１のバッグ本体３は、その全体が互いに対向する第１フィルム５および第２フィルム６からなる扁平状であった。この第６実施形態のファスナー袋７１のバッグ本体３は、まちが形成された底部７３を有している。この第６実施形態のファスナー袋７１によっても、第１実施形態のファスナー袋１と同様の効果を達することができる。
【００３６】
図１２は、本発明の第７実施形態に係るファスナー袋８１の概略構成図である。図１２において、図４Ａに示す各部に相当する部分には、それらの各部に付した参照符号と同一の参照符号を付し、それらの部分については説明を省略する。
前述の第１実施形態のファスナー袋１の一対のファスナー４Ａ，４Ｂは、その上側に耳部１２が形成されるように、口部２の上縁７から底縁８側に間隔を開けた位置に形成されていた。この第７実施形態のファスナー袋８１の一対のファスナー８２Ａ，８２Ｂは、口部２の上縁７位置に、当該上縁７に沿って形成されている。このファスナー袋８１は、口部２の上縁７に、側縁９Ａから側縁９Ｂまでスライド自在に嵌合し、一対のファスナー８２Ａ，８２Ｂを開閉するためのスライダー８３をさらに含む。この構成によれば、スライダー８３をスライドさせることによって、一対のファスナー８２Ａ，８２Ｂの開閉を簡単に行うことができる。むろん、第１実施形態のファスナー袋１と同様の効果を達成することもできる。
【００３７】
以上、本発明の実施形態について説明したが、本発明はさらに他の形態で実施することもできる。
たとえば、バッグ本体３は、四角形バッグである必要はなく、三角形、円形、球形等であってもよい。また、バッグ本体３は、透明フィルムではなく、カラーフィルムで構成されていてもよい。
【００３８】
また、色彩表示１３は、図１３のファスナー袋９１のように、たとえば、バッグ本体３の一対のファスナー４Ａ，４Ｂよりも上縁７側（耳部１２）に配置されていてもよい。模様表示５２および文字表示６２についても同様である。色彩表示１３等がこの位置にあれば、色彩表示１３等がバッグ本体３の内面１５に形成されている場合でも、バッグ本体３の内容物と当該色彩表示１３等との接触を防止することができる。特に、バッグ本体３に食品を保存する場合には、食品の品質を良好に保つことができるので効果的である。さらに、色彩表示１３の視認性も向上させることができる。
【００３９】
その他、特許請求の範囲に記載された事項の範囲で種々の設計変更を施すことが可能である。
【符号の説明】
【００４０】
１  ファスナー袋
２  口部
３  バッグ本体
４Ａ  ファスナー
４Ｂ  ファスナー
５  第１フィルム
６  第２フィルム
７  上縁
８  底縁
９Ａ  側縁
９Ｂ  側縁
１０  凸条
１１  凹条
１２  耳部
１３  色彩表示
１４  外面
１５  内面
１６  色彩テープ
１７  弾性シート
１８  一端
１９  他端
２０  支点
２１Ａ  アーム
２１Ｂ  アーム
２２  吊り下げ具
２３  フック
３１  ファスナー袋
３２  弾性シート
４１  ファスナー袋
４２  弾性シート
４３  一端
４４  他端
４５  支点
４６Ａ  アーム
４６Ｂ  アーム
５１  ファスナー袋
５２  模様表示
６１  ファスナー袋
６２  文字表示
７１  ファスナー袋
７２  バッグ本体
７３  底部
８１  ファスナー袋
８２Ａ  ファスナー
８２Ｂ  ファスナー
８３  スライダー
９１  ファスナー袋
【図１】
2014019451.tif 000003
【図２】
2014019451.tif 000004
【図３】
2014019451.tif 000005
【図４Ａ】
2014019451.tif 000006
【図４Ｂ】
2014019451.tif 000007
【図５Ａ】
2014019451.tif 000008
【図５Ｂ】
2014019451.tif 000009
【図６】
2014019451.tif 000010
【図７】
2014019451.tif 000011
【図８】
2014019451.tif 000012
【図９】
2014019451.tif 000013
【図１０】
2014019451.tif 000014
【図１１】
2014019451.tif 000015
【図１２】
2014019451.tif 000016
【図１３】
2014019451.tif 000017